(57)【要約】【課題】生地が案内レールから抜けることを抑制可能としたロールスクリーン用のスクリーン、および、ロールスクリーンを提供する。【解決手段】帯状のスクリーン１３の生地の幅方向における縁辺Ｅよりも幅方向の中央側に、スクリーン１３の高さ方向に延びる被案内部１３Ｅを備え、ロールスクリーンに設けられてスクリーン１３の高さ方向に延びる案内部に、被案内部が挟まれることによって、スクリーン１３の移動が高さ方向に案内されるロールスクリーン用のスクリーン１３であって、スクリーン１３の生地は、織物と、遮光用の樹脂被膜を備える編物とのいずれか一方であり、被案内部１３Ｅよりも縁辺Ｅ側には、高さ方向に延在して生地１３Ｍの表裏に直接縫われた縫製部１３Ｓを備える。【選択図】図３
2019218814.tif 000002
【特許請求の範囲】
【請求項１】
帯状のスクリーンの生地の幅方向における縁辺よりも前記幅方向の中央側に、前記スクリーンの高さ方向に延びる被案内部を備え、ロールスクリーンに設けられて前記スクリーンの前記高さ方向に延びる案内部に、前記被案内部が挟まれることによって、前記スクリーンの移動が前記高さ方向に案内されるロールスクリーン用のスクリーンであって、
前記スクリーンの生地は、織物と編物とのいずれか一方であり、前記被案内部よりも縁辺側が、折り返されず、かつ、前記高さ方向に延在して前記生地の表裏に直接縫われた縫製部のみを備え、前記縫製部が、環状またはステッチ状に縫製された
スクリーン。
【請求項２】
前記縫製部は、オーバーロック、インターロック、巻きロック、環縫い、シングルステッチ、および、ダブルステッチの少なくとも１つの縫い目である、
請求項１に記載のスクリーン。
【請求項３】
前記生地のなかで前記縫製部が位置する部分は、前記被案内部よりも厚い
請求項１または２に記載のスクリーン。
【請求項４】
前記縫製部は、前記縁辺を構成する
請求項１から３のいずれか一項に記載のスクリーン。
【請求項５】
巻き取り軸と、
前記巻き取り軸に巻き回された帯状のスクリーンであって、前記スクリーンの生地の幅方向における縁辺よりも幅方向の中央側に、前記スクリーンの高さ方向に延びる被案内部を備えた前記スクリーンと、
ロールスクリーンに設けられ、前記スクリーンの前記高さ方向に延在し、前記被案内部の表裏を挟むことによって、前記スクリーンの移動を前記高さ方向に案内する前記案内部と、
を備えるロールスクリーンであって、
前記スクリーンの生地は、織物と編物とのいずれか一方であり、前記被案内部よりも縁辺側が、折り返されず、かつ、前記高さ方向に延在して前記生地の表裏に直接縫われた縫製部のみを備え、前記縫製部が、環状またはステッチ状に縫製された
ロールスクリーン。
【発明の詳細な説明】
【技術分野】
【０００１】
本発明は、ロールスクリーンに用いられるスクリーン、および、スクリーンを備えたロールスクリーンに関する。
【背景技術】
【０００２】
ロールスクリーンに用いられるスクリーンの生地は、生地の引き出し操作によって下降し、また、生地の巻き取り操作によって上昇する。ロールスクリーンが備える案内レールは、スクリーンが昇降する方向である昇降方向に沿って延びる形状を有し、巻き取り軸から引き出された生地の端部である被案内部は、案内レールの内側に入り込む。生地が下降するとき、および、生地が上昇するときの各々において、生地の被案内部は案内レールに沿って移動し、生地は昇降方向に沿って案内される（例えば、特許文献１を参照）。
【先行技術文献】
【特許文献】
【０００３】
【特許文献１】特開２０１６−１９９９８５号公報
【発明の概要】
【発明が解決しようとする課題】
【０００４】
ところで、ロールスクリーンが備えるスクリーンの生地には、生地を張り出させるような外力が、様々な利用のシーンで作用する。例えば、気圧が高い空間と気圧が低い空間とをロールスクリーンが区画するとき、気圧が低い空間へ生地を張り出させるような力が、生地に作用する。また、下降した生地を利用者が手などによって押すときなども、利用者が押す方向へ生地を張り出させるような力が生地に作用する。結果として、案内レールに入っている生地の被案内部が案内レールから抜けてしまい、それ以降の生地が案内レールによって案内されなくなることがある。なお、特許文献１に記載のように、生地が抜けるときに作動する抜け止め機構を案内レールが備える構成であっても、抜け止め機構が作動するタイミングよりも生地の抜けるタイミングが早い場合には、上述した課題を生じるため、上述したロールスクリーンには、依然として改善する余地が残されている。
本発明の目的は、生地が案内レールから抜けることを抑制可能としたスクリーン、および、ロールスクリーンを提供することである。
【課題を解決するための手段】
【０００５】
上記課題を解決するためのスクリーンは、帯状のスクリーンの生地の幅方向における縁辺よりも幅方向の中央側に、前記スクリーンの高さ方向に延びる被案内部を備え、ロールスクリーンに設けられて前記スクリーンの高さ方向に延びる案内部に、前記被案内部が挟まれることによって、前記スクリーンの移動が高さ方向に案内されるロールスクリーン用のスクリーンであって、前記スクリーンの生地は、織物と、編物とのいずれか一方であり、前記被案内部よりも縁辺側が、折り返されず、かつ、前記高さ方向に延在して前記生地の表裏に直接縫われた縫製部のみを備え、前記縫製部が、環状またはステッチ状に縫製されている。
【０００６】
上記課題を解決するためのロールスクリーンは、巻き取り軸と、前記巻き取り軸に巻き回された帯状のスクリーンであって、前記スクリーンの生地の幅方向における縁辺よりも幅方向の中央側に、前記スクリーンの高さ方向に延びる被案内部を備えた前記スクリーンと、ロールスクリーンに設けられ、前記スクリーンの前記高さ方向に延在し、前記被案内部の表裏を挟むことによって、前記スクリーンの移動を前記高さ方向に案内する前記案内部と、を備えるロールスクリーンであって、前記スクリーンの生地は、織物と、遮光用の樹脂被膜を備える編物とのいずれか一方であり、前記被案内部よりも縁辺側が、折り返されず、かつ、前記高さ方向に延在して前記生地の表裏に直接縫われた縫製部のみを備える。
上記スクリーンにおいて、前記縫製部は、オーバーロック、インターロック、巻きロック、環縫い、シングルステッチ、および、ダブルステッチの少なくとも１つの縫い目であってもよい。
上記スクリーンにおいて、前記生地のなかで前記縫製部が位置する部分は、前記被案内部よりも厚くてもよい。
上記スクリーンにおいて、前記縫製部は、前記縁辺を構成してもよい。
【図面の簡単な説明】
【０００７】
【図１】ロールスクリーンの正面構造を示す正面図。
【図２】ロールスクリーンが備える案内部の構造を示す斜視図。
【図３】ロールスクリーンに用いられるスクリーンの斜視構造を示す斜視図。
【図４】スクリーンの構造の他の例を示す斜視図。
【図５】スクリーンの構造の他の例を示す斜視図。
【図６】スクリーンの構造の他の例を示す斜視図。
【図７】（ａ）（ｂ）はロールスクリーンの作用を示す作用図。
【発明を実施するための形態】
【０００８】
図１から図７を参照してロールスクリーン用のスクリーン、および、ロールスクリーンの一実施形態について説明する。まず、ロールスクリーンを説明し、次いで、ロールスクリーンに用いられるスクリーンを説明する。
【０００９】
［ロールスクリーン］
図１が示すように、ロールスクリーンが備える枠体１１は、左右方向に沿って延びる巻き取り軸１２を回転できる状態で支持する。巻き取り軸１２は、帯状のスクリーン１３の上端部を巻き取り軸１２の軸線方向に沿って支持する。スクリーン１３は、生地、生地を巻き取り軸に取り付けるためのスクリーン押え、生地にプルコードを取り付けるためのプルサポートなどを備える。スクリーン１３を構成する帯状の生地は、織物と、遮光用の樹脂被膜を備える編物とのいずれか一方である。
【００１０】
スクリーン１３の下端部は、巻き取り軸１２の外周面から離れ、昇降方向であるスクリーン１３の高さ方向の下方に向かって自重によって垂れ下がる。スクリーン１３の下端部には、左右方向に延びるウェイトバー１４が取り付けられている。ウェイトバー１４は、ウェイトバー１４の荷重をスクリーン１３に作用させて、スクリーン１３の高さ方向をスクリーン１３の昇降方向に沿わせる。ウェイトバー１４の左右方向の長さは、スクリーン１３の左右方向の長さよりも短い。
【００１１】
巻き取り軸１２は、回転機構によって回転する。回転機構は、例えば、巻き取り軸１２を回転させるスプリングモータと、ウェイトバー１４を所望の高さに止めるためのフリーストップ機構とを備える。スクリーン１３の下端部の中央部は、ウェイトバー１４の昇降操作を行うためのハンドル１５を備える。ハンドル１５は、プルコード１６と接続される。ウェイトバー１４は、ハンドル１５、および、プルコード１６の少なくとも一方によって操作される。ウェイトバー１４の下端は、ダンパ１４Ｄを備える。ダンパ１４Ｄは、スクリーン１３が全閉状態であるときに、フレーム１９の下部フレーム１９Ａと接触して、部屋外から部屋内への漏光を抑制する。
【００１２】
左右方向における巻き取り軸１２の両端部は、昇降方向に延びる左右一対の案内レール２１に接続される。各案内レール２１は、スクリーン１３の前側に位置する前側案内壁２１Ｆと、スクリーン１３の後側に位置する後側案内壁２１Ｂとを備える。前側案内壁２１Ｆおよび後側案内壁２１Ｂは、前側案内壁２１Ｆと後側案内壁２１Ｂとの間で案内開口Ｇを区画する。スクリーン１３の生地は、被案内部１３Ｅを備え、被案内部１３Ｅは、案内開口Ｇから案内レール２１の内部に入り込んでいる。被案内部１３Ｅは、スクリーン１３の幅方向における縁辺Ｅよりも幅方向の中央側に位置し、スクリーン１３の高さ方向である昇降方向に延びる。
【００１３】
そして、巻き取り軸１２が巻き取り方向に回転して、スクリーン１３の全てが案内レール２１から離れるとき、スクリーン１３の下端部は、案内レール２１の上側まで引き上げられる。この状態からスクリーン１３の下端部が引き下げられて、巻き取り軸１２が引き出し方向に回転すると、スクリーン１３の被案内部１３Ｅは、案内レール２１の上端から案内レール２１の内部に入り込む。なお、案内開口Ｇは、案内レール２１を構成する各部材の状態を案内レール２１の外部から変更したり確認したりするためのメンテナンスにも用いられる。
【００１４】
図２が示すように、案内レール２１は、昇降方向から見てコ字形状を有するガイドフレーム２３Ｍと、案内レール２１の下端部を構成する板状の下部キャップ３０とを備える。ガイドフレーム２３Ｍは、前側案内壁２１Ｆと後側案内壁２１Ｂとを備え、ガイドフレーム２３Ｍの下端部は、下部キャップ３０に閉塞される。前側案内壁２１Ｆと後側案内壁２１Ｂとを連結する壁は、レールベース１７に取り付けられて、窓枠などに固定される。
【００１５】
ガイドフレーム２３Ｍは、案内開口Ｇを通る仮想鉛直面ＰＶに対して、ほぼ面対称となる構成を備える。以下では、仮想鉛直面ＰＶよりも前側の構成を詳細に説明し、仮想鉛直面ＰＶよりも後側の構成については、前側の構成と重複する構成の説明を省略する。なお、仮想鉛直面ＰＶは、静置されたスクリーン１３の位置とほぼ一致する面である。
【００１６】
ガイドフレーム２３Ｍは、昇降方向に延びる軸支片２３Ｌを備える。軸支片２３Ｌは、昇降方向と直交する断面でＣ字形状を有し、そのＣ字形状が昇降方向に連なる形状を有する。軸支片２３Ｌは、昇降方向に延びる揺動軸Ｃを中心として、抜け止めレバー２７Ｆを揺動可能な状態で支持する。案内部の一例である抜け止めレバー２７Ｆは、硬質の樹脂材料によって成形された硬質体である。抜け止めレバー２７Ｆは、出力部２４と作動部２６とを備える。出力部２４は、案内レール２１の内部に位置し、作動部２６は、出力部２４よりも案内レール２１の外側に位置する。
【００１７】
抜け止めレバー２７Ｆの出力部２４は、軸部２４Ａとカム部２４Ｃとを備える。軸部２４Ａは、昇降方向に延びる円柱形状を有し、昇降方向に延びる揺動軸Ｃを中心する揺動を可能な状態で、軸支片２３Ｌに遊嵌される。カム部２４Ｃは、軸部２４Ａから後側に向かって広がる扇形状の断面を有し、その扇形状が昇降方向に連なる形状を有する。カム部２４Ｃは、円弧に沿って凹凸が繰り返される凹凸形状を有したカム面を備え、凹凸が並ぶ円弧の中心は、揺動軸Ｃよりも、スクリーン１３の幅方向の中央側、かつ、前方に位置する。作動部２６は、カム部２４Ｃから、スクリーン１３の幅方向の中央側、かつ、前方に向けて湾曲する形状を有する。
【００１８】
カム部２４Ｃと軸支片２３Ｌとは、軸部２４Ａの周方向に間隙を有する。上方向から見て、出力部２４の左回りの移動は、カム部２４Ｃの左端面と軸支片２３Ｌとが当接するときに規制される。また、出力部２４における右回りの移動は、カム部２４Ｃの右端面と軸支片２３Ｌとが当接するときに規制される。抜け止めレバー２７Ｆの取り得る位置のなかで、カム部２４Ｃの左端面と軸支片２３Ｌとが当接する位置は、案内位置である。抜け止めレバー２７Ｆの取り得る位置のなかで、カム部２４Ｃの右端面と軸支片２３Ｌとが当接する位置は、抜け止め位置である。
【００１９】
そして、スクリーン１３の被案内部１３Ｅが案内開口Ｇに入った状態で、各抜け止めレバー２７Ｆ，２７Ｂが案内位置に位置するとき、抜け止めレバー２７Ｆ，２７Ｂのカム部２４Ｃは、スクリーン１３に圧接しない。すなわち、被案内部１３Ｅは、案内開口Ｇを案内方向に移動可能な状態である。他方、スクリーン１３の被案内部１３Ｅが案内開口Ｇに入った状態で、各抜け止めレバー２７Ｆ，２７Ｂが抜け止め位置に位置するとき、抜け止めレバー２７Ｆ，２７Ｂのカム部２４Ｃは、スクリーン１３に圧接する。すなわち、スクリーン１３の縁辺Ｅは、案内開口Ｇから抜けることを抑制された状態である。
【００２０】
［スクリーン１３］
次に、図３を参照してスクリーン１３を構成する生地１３Ｍについて説明する。スクリーン１３を構成する生地１３Ｍは、相互に交差する糸１３Ｗが組織を形成する織物と編物とのいずれか一方である。編物は、ループ状の組織を備える生地であり、遮光用の樹脂被膜を備えることも可能である。織物は、例えば、相互に直交する縦糸と横糸とが組織を形成する組織体や、相互に交差する縦糸と斜め糸とが組織を形成する組織体であり、一重織物、重ね織物、パイル織物、捩り織物のいずれかである。織物は、例えば、組織点から離れた浮き糸を含むことも可能である。織物の基本組織は、例えば、平織、綾織、朱子織である。織物は、遮光用の樹脂被膜を備えものを含む。
【００２１】
こうした生地１３Ｍの空孔に他の糸が通されて、その糸に外力が作用するとき、織物における組織点の変位は、編物と比べて十分に小さく、特に、遮光用の樹脂被膜を備える織物は、樹脂被膜を備えない織物よりもさらに小さい。なお、遮光用の樹脂被膜を備える編物においてもまた、編物における組織点の変位は、樹脂被膜を備えない編物と比べて十分に小さい。また、遮光用の生地１３Ｍのなかでも、特に遮光性が高い暗幕用の生地１３Ｍは、暗幕用とは異なる生地１３Ｍと比べて糸密度や織密度が高いため、上述した組織点の変位は、さらに小さい。
【００２２】
生地１３Ｍを構成する糸１３Ｗは、例えば、ポリエステル樹脂やポリ塩化ビニル繊維やナイロン樹脂などの合成樹脂繊維、ガラス繊維を含有する合成樹脂繊維、和紙繊維を含有する合成樹脂繊維、ガラス繊維、和紙繊維、綿や麻などの天然繊維である。生地１３Ｍは、縦糸や横糸が相互に同じ種類の繊維であってもよいし、縦糸や横糸が相互に異なる種類の繊維であってもよい。生地１３Ｍは、例えば、縦糸と横糸とが共にポリエステル繊維である織物や、縦糸がポリエステル繊維で横糸が和紙繊維を含有するポリエステル繊維である織物である。
【００２３】
遮光用の樹脂被膜は、生地１３Ｍの表面、生地１３Ｍの裏面、および、生地１３Ｍの中間層の少なくとも１つを構成する。遮光用の樹脂被膜を形成する材料は、例えば、ポリ塩化ビニル、ポリエステル樹脂、ポリウレタン樹脂、フッ素樹脂、オレフィン樹脂からなる群から選択される少なくとも１つである。遮光用の樹脂被膜は、コーティング技術によって形成されてもよいし、ラミネート技術によって形成されてもよい。遮光用の樹脂被膜を備えるスクリーン１３であれば、上述したように、生地１３Ｍの空孔に他の糸が通されて、その糸に外力が作用するとき、織物における組織点の変位は、樹脂被膜を備えない構成と比べて小さくすることが可能となる。また、編物のようなループ状の組織を有した生地においても、生地１３Ｍにおける組織点の変位を抑えることが可能ともなる。
【００２４】
スクリーン１３を構成する生地１３Ｍは、被案内部１３Ｅに加えて、被案内部１３Ｅよりも縁辺Ｅ側が、折り返されず、かつ、縫製部１３Ｓのみを備える。縫製部１３Ｓは、スクリーン１３の高さ方向に延在して、生地１３Ｍの表裏に直接縫われた縫い目である。縫製部１３Ｓは、環状またはステッチ状に縫製されている。
【００２５】
なお、図３では、縫製部１３Ｓの一例として、生地１３Ｍの縁を巻き込んでかがり縫いされたオーバーロック縫い目を示すが、縫製部１３Ｓは、針糸と上下のルーパー糸とでかがり縫いされた普通ロック縫い目であってもよい。また、縫製部１３Ｓは、図４が示す単環縫い目、１本糸オーバーロック縫い目、図５が示す２本糸オーバーロック縫い目、３本糸オーバーロック縫い目、２本針４本糸オーバーロック縫い目でもよい。また、縫製部１３Ｓは、図６が示す二重環縫い目、インターロック縫い目、２本針二重環縫い目、３本針二重環縫い目、２本針偏平縫い目、３本針偏平縫い目であってもよい。また、縫製部１３Ｓは、シングルステッチ縫い目、ダブルステッチ縫い目であってもよい。また、縫製部１３Ｓの一部は、スクリーン１３の意匠性を高めるために、これらの組み合わせであってよいし、目とび部を備えてもよい。
【００２６】
特に、縫製部１３Ｓがオーバーロック縫い目であれば、ルーパー糸Ｌ１が、生地１３Ｍのほぼ幅方向に沿う環形状を生地１３Ｍの縁に沿って上下に並べて形成する。そのため、巻き取り軸１２に巻き取られた生地１３Ｍにおいては、縫製部１３Ｓの表側に加わる張力をルーパー糸Ｌ１の変形によって緩和することが可能となる。すなわち、ロールスクリーンに特化した要請として、巻き取り軸１２の周方向に沿った縫製部１３Ｓの柔軟性を確保することが可能であって、縫製部１３Ｓを備えたスクリーン１３の巻き取りを円滑に進めることが可能ともなる。
【００２７】
特に、生地１３Ｍの縁を巻き込んでかがり縫いされたオーバーロック縫い目であれば、生地１３Ｍの縁の巻き込まれる幅を糸の張力によって変更することが可能であるから、縫製部１３Ｓが位置する部位のスクリーン１３の厚みを、縫製部１３Ｓの糸の張力によって調整することが可能ともなる。さらに、生地１３Ｍの縁を巻き込んでかがり縫いされたオーバーロック縫い目であれば、生地１３Ｍの縁の解れを縫製部１３Ｓによって抑えることが可能ともなる。すなわち、スクリーン１３の縁を案内レール２１に案内させるロールスクリーンに特化した要請として、スクリーン１３の縁における耐久性を高めることが可能ともなる。
【００２８】
［作用］
図７（ａ）が示すように、スクリーン１３の面方向と交差する方向に向かう外力Ｆａ、例えば、スクリーン１３の中央部１３Ｃを後方へ張り出させるような外力Ｆａが、スクリーン１３に作用すると、スクリーン１３の被案内部１３Ｅは、案内開口Ｇから徐々に抜け始める。この際、後方に向けて張り出すスクリーン１３と、抜け止めレバー２７Ｂの作動部２６の外周面とが相互に接触し、案内位置に位置する抜け止めレバー２７Ｂの作動部２６が、スクリーン１３によって押される。結果として、抜け止めレバー２７Ｂが抜け止め位置に向けて回転し始めると共に、被案内部１３Ｅとカム部２４Ｃとが接触し、カム部２４Ｃとの摩擦力が被案内部１３Ｅの移動を抑える。また、被案内部１３Ｅの移動に合わせて、抜け止めレバー２７Ｆもまた、抜け止め位置に向けて回転する。
【００２９】
各抜け止めレバー２７Ｆ，２７Ｂが抜け止め位置に向けて回転すると、抜け止めレバー２７Ｆ，２７Ｂのカム部２４Ｃは、スクリーン１３の被案内部１３Ｅに圧接する。これによって、抜け止めレバー２７Ｆ，２７Ｂのカム部２４Ｃは、他方のカム面から押圧力を受けて、スクリーン１３が案内レール２１から抜けることを抑える。
【００３０】
ここで、図７（ｂ）が示すように、上述した外力Ｆａによって各抜け止めレバー２７Ｆ，２７Ｂの作動するタイミングが、図７（ａ）の場合よりも遅いと、スクリーン１３の抜けはさらに進行する。この際、縫製部１３Ｓの位置する部位でのスクリーン１３の厚みが、被案内部１３Ｅの厚みよりも厚いこと、また、縫製部１３Ｓが形成する縫い目の段差が、縫製部１３Ｓとカム部２４Ｃとの摩擦力を高めること、これらが相まって、被案内部１３Ｅの移動が抑えられる。結果として、各抜け止めレバー２７Ｆ，２７Ｂの作動するタイミングが、遅い場合であっても、生地１３Ｍの被案内部１３Ｅが案内レール２１から抜けること、ひいては、スクリーン１３の縁が案内レール２１から抜けることを抑えることが可能となる。
【００３１】
この際、スクリーン１３の中央部１３Ｃは、縫製部１３Ｓに対して、縫製部１３Ｓを案内レール２１から抜く方向に力を作用させる。すなわち、生地１３Ｍにおける組織点を縫製部１３Ｓの糸が変位させるように、スクリーン１３の中央部１３Ｃが縫製部１３Ｓに力を作用させる。この点、上述したように、生地１３Ｍは、織物、遮光用の樹脂被膜を備える織物、および、遮光用の樹脂被膜を備える編物のいずれか１つであるから、生地１３Ｍにおける組織点の変位は、生地１３Ｍが編物である場合と比べて、十分に抑えられる。結果として、スクリーン１３の端部における変形や解れを抑えることが可能ともなる。
【００３２】
以上、上記実施形態によれば、以下に記載する効果が得られる。
（１）スクリーン１３の縁が案内レール２１から抜けることを、縫製部１３Ｓとカム部２４Ｃとの接触によって抑えることが可能となる。
（２）縫製部１３Ｓがオーバーロック縫い目である場合、スクリーン１３に要請される柔軟性を縫製部１３Ｓで確保することが可能ともなる。
（３）縫製部１３Ｓが生地１３Ｍの縁を巻き込んでかがり縫いされたオーバーロック縫い目である場合、案内レール２１を昇降するスクリーン１３の縁辺において、生地１３Ｍの解れを抑えることが可能ともなる。
【００３３】
（４）また、縫製部１３Ｓが位置する部位のスクリーン１３の厚みを、縫製部１３Ｓの糸の張力で調整することが可能ともなる。上述したように、縫製部１３Ｓが位置する部位のスクリーン１３の厚みは、被案内部１３Ｅの厚みよりも厚く、抜け止めレバー２７Ｆ，２７Ｂ間の距離に応じて設定される。そして、縫製部１３Ｓが位置する部位のスクリーン１３の厚みについて、その自由度が高められるため、抜け止めレバー２７Ｆ，２７Ｂの設計の自由度も高められる。
【００３４】
（５）縫製部１３Ｓが位置する部位のスクリーン１３の厚みが、被案内部１３Ｅの厚みよりも厚いこと、また、縫製部１３Ｓが有する段差が、縫製部１３Ｓとカム部２４Ｃとの摩擦力を高めること、これらが相まって、スクリーン１３の抜け止めの確実性が高められる。
（６）縫製部１３Ｓが抜け止めの機能を発現する場合であっても、スクリーン１３の端部における変形や解れを抑えることが可能ともなる。
【００３５】
（７）スクリーン１３が暗幕用の生地１３Ｍである構成では、暗幕用とは異なる生地１３Ｍと比べて、生地１３Ｍにおける糸密度や織密度が高い。そのため、上記（６）に準じた効果をさらに高めることが可能ともなる。
【００３６】
（８）生地１３Ｍが編物である場合には、縫製部１３Ｓが抜け止めの機能を発現する場合に、生地１３Ｍにおける組織が大きく変位し、スクリーン１３の端部における変形や解れが生じる。この点、遮光用の樹脂被膜を備えた編物が生地１３Ｍに適用されるため、編物の質感や意匠性を備えたスクリーン１３において、それの抜け止めを実現することが可能ともなる。
【００３７】
（９）縫製部１３Ｓは生地１３Ｍの表裏に直接縫われた縫い目であるため、テープなどの他の部材を採用することなく、スクリーン１３の端部の厚みを被案内部１３Ｅよりも厚くすることが可能である。そして、テープなどの剥がれが生じることも抑えられるため、上述した抜け止め効果の持続性も高めることが可能ともなる。
【００３８】
なお、上記実施形態は、以下のように変更して実施することもできる。
［案内部］
・抜け止めレバー２７Ｆ，２７Ｂは、前側案内壁２１Ｆと後側案内壁２１Ｂとに案内位置で固定された構成とすることも可能である。こうした構成では、縫製部１３Ｓが位置する部位でのスクリーン１３の厚みが、案内位置に位置する抜け止めレバー２７Ｆ，２７Ｂの間隙よりも大きいことによって、スクリーン１３の抜け止めが実現される。
【００３９】
・さらに、案内レール２１から抜け止めレバー２７Ｆ，２７Ｂが割愛されて、被案内部１３Ｅを昇降方向に案内する案内部を、ガイドフレーム２３Ｍのみから構成することも可能である。この際、前側案内壁２１Ｆと後側案内壁２１Ｂとの間隙は、抜け止めレバー２７Ｆ，２７Ｂが区画する案内開口Ｇと同等の大きさを有する。
要は、スクリーン１３の高さ方向に延びる案内部に被案内部１３Ｅが挟まれることによって、スクリーン１３の移動が高さ方向に案内される構成であればよい。
・抜け止めレバー２７Ｂは、抜け止めレバー２７Ｆのカム部２４Ｃに対応する部位に、カム部２４Ｃに代えて、弾性を有した保持部を備えることも可能である。
【００４０】
［縫製部１３Ｓ］
・縫製部１３Ｓの位置は、スクリーン１３の幅方向において、スクリーン１３の縁辺よりも被案内部１３Ｅ側である構成とすることも可能である。
・縫製部１３Ｓが位置する部位でのスクリーン１３の厚みは、被案内部１３Ｅと同等とすることも可能である。この際、縫製部１３Ｓが形成する縫い目の段差が、縫製部１３Ｓとカム部２４Ｃとの摩擦力を高めることによって、被案内部１３Ｅの移動は抑えられる。こうした縫製部１３Ｓの構成であれば、縫製部１３Ｓと被案内部１３Ｅとの厚みの連続性によって、スクリーン１３の意匠性を高めることが可能ともなる。
【００４１】
・縫製部１３Ｓの表面における粗さは、被案内部１３Ｅの表面における粗さと同等であって、例えば、縫製部１３Ｓでの縫い目による段差は、被案内部１３Ｅと同等とすることも可能である。この際、縫製部１３Ｓの位置する部位でのスクリーン１３の厚みが、被案内部１３Ｅの厚みよりも厚いことによって、被案内部１３Ｅの移動は抑えられる。こうした縫製部１３Ｓの構成であれば、縫製部１３Ｓが形成する縫い目の段差と、被案内部１３Ｅが形成する段差との共通性によって、スクリーン１３の意匠性を高めることが可能ともなる。
【符号の説明】
【００４２】
Ｃ…揺動軸、Ｅ…縁辺、Ｇ…案内開口、Ｆａ…外力、Ｌ１…ルーパー糸、ＰＶ…仮想鉛直面、１１…枠体、１２…巻き取り軸、１３…スクリーン、１３Ｃ…中央部、１３Ｅ…被案内部、１３Ｍ…生地、１３Ｓ…縫製部、１３Ｗ…糸、１４…ウェイトバー、１４Ｄ…ダンパ、１５…ハンドル、１６…プルコード、１７…レールベース、１９…フレーム、１９Ａ…下部フレーム、２１…案内レール、２１Ｂ…後側案内壁、２１Ｆ…前側案内壁、２３Ｌ…軸支片、２３Ｍ…ガイドフレーム、２４…出力部、２４Ａ…軸部、２４Ｃ…カム部、２６…作動部、２７Ｂ，２７Ｆ…抜け止めレバー、３０…下部キャップ。
【図１】
2019218814.tif 000003
【図２】
2019218814.tif 000004
【図３】
2019218814.tif 000005
【図４】
2019218814.tif 000006
【図５】
2019218814.tif 000007
【図６】
2019218814.tif 000008
【図７】
2019218814.tif 000009